(57)【要約】【課題】視認性の優れる指針計器の提供。【解決手段】文字板５０に配置された複数の目盛部６４を、文字板５０に沿って動く指針４０の先端部４１ａで指し示して、指標２０を表示するコンビネーションメータ１００であって、文字板５０および指針４０に向けて光束を放射する発光ダイオード７２と、先端部４１ａが目盛部６４の表示方向前方を通過するよう伸張し、発光ダイオード７２から入射する光束を表示方向前側に向けて放射することにより発光するとともに、光束を伸張方向に向けて放射する指針出射部４６を有する指針と、発光ダイオード７２から入射する光束を表示方向前側に向けて放射するとともに、指針出射部４６から出射される光束を表示方向前側に向けて反射することにより発光する目盛部６４を有する文字板５０と、を備えるコンビネーションメータ１００とする。【選択図】図２
2010078441.tif 000002
【特許請求の範囲】
【請求項１】
文字板に配置された複数の目盛部を、前記文字板に沿って動く指針の先端部で指し示して、指標を表示する指針計器であって、
前記文字板および前記指針に向けて光束を放射する光源部と、
前記先端部が前記目盛部の表示方向前方を通過するよう伸張し、前記光源部から入射する光束を表示方向前側に向けて放射することにより発光するとともに、光束を伸張方向に向けて放射する指針出射部を有する前記指針と、
前記光源部から入射する光束を表示方向前側に向けて放射するとともに、前記指針出射部から出射される光束を表示方向前側に向けて反射することにより発光する前記目盛部を有する前記文字板と、を備えることを特徴とする指針計器。
【請求項２】
前記目盛部は、前記指針の前記先端部に対して、表示方向後側且つ伸張方向基端側から表示方向前側且つ伸張方向先端側に亘る発光面を形成し、
前記発光面は、前記光源部から入射する光束を表示方向前側に向けて放射するとともに、前記指針出射部から出射される光束を表示方向前側に向けて反射することにより発光することを特徴とする請求項１に記載の指針計器。
【請求項３】
前記発光面は、表示方向前側に凹であることを特徴とする請求項２に記載の指針計器。
【請求項４】
複数の前記目盛部は、相互に離間した状態で前記文字板上に配置されることを特徴とする請求項１〜３のいずれか一項に記載の指針計器。
【請求項５】
前記目盛部は、前記文字板から表示方向前側に突出して設けられることを特徴とする請求項１〜４のいずれか一項に記載の指針計器。
【請求項６】
前記文字板は、前記光源部から入射する光束を前記目盛部まで導光する導光体、および前記導光体の表示方向前側に配置される遮光性の意匠板を具備し、
前記目盛部は、前記導光体から前記意匠板を貫通して表示方向前側に突出することを特徴とする請求項５に記載の指針計器。
【請求項７】
前記指針出射部は、前記指針の前記先端部に設けられることを特徴とする請求項１〜６のいずれか一項に記載の指針計器。
【請求項８】
前記光源部は、前記指針に向けて第一光束を放射する第一光源部、および前記文字板に向けて第二光束を放射する第二光源部を有することを特徴とする請求項１〜７のいずれか一項に記載の指針計器。
【請求項９】
前記第一光源部が放射する第一光束の色相は、前記第二光源部が放射する第二光束の色相と異なることを特徴とする請求項８に記載の指針計器。
【請求項１０】
前記第一光源部が放射する第一光束の彩度は、前記第二光源部が放射する第二光束の彩度よりも高いことを特徴とする請求項８又は９に記載の指針計器。
【発明の詳細な説明】
【技術分野】
【０００１】
本発明は、文字板に配置された複数の目盛部を、文字板に沿って動く指針の先端部で指し示して、指標を表示する指針計器に関するものである。
【背景技術】
【０００２】
従来、光束を放射する光源部と、光源部から入射する光束を表示方向前側に向けて放射することにより発光する指針と、光源部から入射する光束を表示方向前側に向けて放射することにより発光する目盛部を有する文字板とを備える指針計器が知られている。例えば、特許文献１に開示の指針計器では、指針は光源部から入射する光束を伸張方向に出射する指針出射部を有し、文字板は、指針から当該指針の伸張方向に離間して配置され、指針出射部から出射された光束を表示方向前側に向けて反射する目盛部を有する。
【０００３】
特許文献１に開示の指針計器では、複数の目盛部のうち、指針の先端部で指し示された特定の目盛部は、光源部から入射する光束を表示方向前側に向けて放射するとともに、指針出射部から出射される光束を表示方向前側に向けて反射することにより発光する。対して、指針の先端部で指し示されていない他の目盛部は、上記光源と同一の光源部から入射した光束を表示方向前側に向けて出射して発光するのみである。これらによれば、指針の先端で指示されている特定の目盛部を、他の目盛部と比較して高い輝度で発光させることで、視認性の向上を試みている。
【特許文献１】特開２００２−８１９６５号公報
【発明の開示】
【発明が解決しようとする課題】
【０００４】
さて、特許文献１の開示の指針計器では、複数の目盛部は、指針から当該指針の伸張方向に離間して配置されているので、指針出射部から出射される光束が、特定の目盛部に到達する以前に拡散する恐れがある。故に、特定の目盛部の発光状態と、指針の発光状態とが近似しなくなる。さらに、指針と目盛部との伸張方向への離間によれば、指針と特定の目盛部とは表示方向に重なって視認され得ない。そのため、特定の目盛部は、指針と一体的に視認されることはないのである。以上によれば、特定の目盛部は、他の目盛部に対する輝度差等の発光状態の違いしか備えないので、指針の先端部で特定の目盛部を指示することによって表示される指標を瞬時に視認させることができないのである。
【０００５】
本発明は、上記問題点に鑑みてなされたものであり、その目的は、視認性の優れる指針計器を提供することである。
【課題を解決するための手段】
【０００６】
上記目的を達成するために、請求項１に記載の発明では、文字板に配置された複数の目盛部を、文字板に沿って動く指針の先端部で指し示して、指標を表示する指針計器であって、文字板および指針に向けて光束を放射する光源部と、先端部が目盛部の表示方向前方を通過するよう伸張し、光源部から入射する光束を表示方向前側に向けて放射することにより発光するとともに、光束を伸張方向に向けて放射する指針出射部を有する指針と、光源部から入射する光束を表示方向前側に向けて放射するとともに、指針出射部から出射される光束を表示方向前側に向けて反射することにより発光する目盛部を有する文字板と、を備えることを特徴とする。
【０００７】
この発明によれば、指針が有する指針出射部は、当該指針の伸張方向に向けて光束を出射する。故に、文字板に配置された複数の目盛部のうち、文字板に沿って動く指針の先端部で指し示された特定の目盛部には、指針出射部によって出射された光束が到達する。これによれば、特定の目盛部のみが、光源部から入射する光束を表示方向前側に向けて放射するとともに、指針出射部から出射される光束を表示方向前側に向けて反射することにより発光する。加えて、指針の先端部が目盛部の表示方向前方を通過するよう伸張しているので、指針の先端部と特定の目盛部とが近接し、指針出射部から出射される光束は特定の目盛部に確実に到達する。故に、特定の目盛部の発光状態は、光源部から入射する光束を表示方向前側に向けて放射する指針の発光状態に近似する。さらに、指針の先端部の目盛部前方への伸張によれば、指針の先端部と特定の目盛部とは表示方向に重なって視認される。以上によれば、特定の目盛部は、指針の先端部と重なって表示されるとともに、発光状態が近似するので、当該指針と一体的に視認されることとなり、誘目性が高められる。この目盛部の高い誘目性によれば、指針の先端部で特定の目盛部を指示することによって表示された指標を瞬時に視認させることが可能となる。したがって、視認性の優れる指針計器を提供することができるのである。
【０００８】
請求項２に記載の発明では、目盛部は、指針の先端部に対して、表示方向後側且つ伸張方向基端側から表示方向前側前側且つ伸張方向先端側に亘る発光面を形成し、発光面は、光源部から入射する光束を表示方向前側に向けて放射するとともに、指針出射部から出射される光束を表示方向前側に向けて反射することにより発光することを特徴とする。この発明によれば、指針の先端部に対して、発光面が表示方向後側且つ伸張方向基端側から表示方向前側前側且つ伸張方向先端側に亘り形成されるので、当該発光面には指針出射部から伸張方向に出射された光束が到達し得る。加えて、発光面が表示方向前側を向くこととなるので、当該発光面に到達した光束は表示方向前側に向けて確実に反射される。この発光面の作用発揮によれば、指針の先端部で指し示された特定の目盛部の誘目性が確実に高められるので、視認性の優れる指針計器を提供することができるのである。
【０００９】
請求項３に記載の発明では、発光面は、表示方向前側に凹であることを特徴とする。この発明によれば、目盛部が有する発光面が表示方向前側に凹であることから、指針の伸張方向、および表示方向において、目盛部と指針とをさらに近接させることができる。これにより、指針出射部から出射された光束を発光面にさらに確実に到達させられるので、特定の目盛部の発光状態は、指針の発光状態にさらに近似する。さらに、指針の先端部と特定の目盛部との表示方向に重なりも容易に視認される。これにより、指針の先端部で指示されている目盛部は、当該指針とさらに一体的に視認され易くなるので、高い誘目性を獲得する。したがって、視認性の優れる指針計器を提供することができるのである。
【００１０】
請求項４に記載の発明では、複数の目盛部は、相互に離間した状態で文字板上に配置されることを特徴とする。この発明によれば、複数の目盛部が、相互に離間した状態で文字板に配置されているので、指針出射部から出射された光束が拡散しても、拡散した光束は、指針の先端で指示された特定の目盛部のみに到達し、隣接する他の目盛部には到達しない。故に、指針の先端で指示されている特定の目盛部のみが指針の発光状態に近似するので、当該目盛部は、高い誘目性を獲得するとともに、他の目盛部に対する識別も容易となる。これにより、指針の先端で特定の目盛部を指示することによって表示された指標を瞬時に視認させることが可能となる。したがって、視認性の優れる指針計器を提供することができるのである。
【００１１】
請求項５に記載の発明では、目盛部は、文字板から表示方向前側に突出して設けられることを特徴とする。この発明によれば、目盛部が文字板から表示方向前側に突出しているので、指針出射部から出射された光束が拡散しても、当該光束は指針の先端で指示された特定の目盛部のみに到達し、文字板へは到達しない。故に、特定の目盛部は、文字板との境界が明瞭な状態で発光することができる。これにより、特定の目盛部の誘目性をさらに高めることができるので、表示された指標を瞬時に視認させることが可能となる。したがって、視認性の優れる指針計器を提供することができるのである。
【００１２】
請求項６に記載の発明では、文字板は、光源部から入射する光束を目盛部まで導光する導光体、および前記導光体の表示方向前側に配置される遮光性の意匠板を具備し、目盛部は、導光体から意匠板を貫通して表示方向前側に突出することを特徴とする。この発明によれば、目盛部は、光源部から入射する光束を目盛部まで導光する導光体に設けられるので、遮光性の意匠板とのコントラストが明確になる。特に、他の目盛部よりも光束の密度が高くなる特定の目盛部においては、意匠板とのコントラストがさらに明確となるので、誘目性をさらに高めることができる。したがって、表示された指標を瞬時に視認させることが可能な、視認性の優れる指針計器を提供することができるのである。
【００１３】
請求項７に記載の発明では、指針出射部は、指針の先端部に設けられることを特徴とする。この発明によれば、指針出射部が指針の先端部に設けられることにより、指針出射部と目盛部とを確実に近接させることができる。これにより、指針出射部から出射された光束を目盛部にさらに確実に到達させられるので、特定の目盛部の発光状態は、指針の発光状態にさらに近似する。さらに、指針の先端部と特定の目盛部との表示方向に重なりも容易に視認される。これにより、指針の先端で指示されている目盛部は、当該指針とさらに一体的に視認され易くなるので、高い誘目性を獲得する。したがって、視認性の優れる指針計器を提供することができるのである。
【００１４】
請求項８に記載の発明では、光源部は、指針に向けて第一光束を放射する第一光源部、および文字板に向けて第二光束を放射する第二光源部を有することを特徴とする。この発明によれば、指針の先端部で指し示された特定の目盛部には、指針出射部によって出射された第一光束が到達する。これによれば、特定の目盛部のみが、第二光源部から入射する第二光束を表示方向前側に向けて放射するとともに、指針出射部から出射される第一光束を表示方向前側に向けて反射することにより発光する。ここで、複数の目盛部に分散される第二光束と比較して、指針のみに入射される第一光束は、光束の密度が高い。故に、特定の目盛部と、第二光束を表示方向前側に向けて出射するのみである他の目盛部との輝度差を明確にすることができる。そのため、特定の目盛部は、誘目性が高まるとともに、他の目盛部に対する識別も容易となる。これにより、指針の先端部で特定の目盛部を指示することによって表示された指標を瞬時に視認させることが可能となる。したがって、視認性の優れる指針計器を提供することができるのである。
【００１５】
請求項９に記載の発明では、第一光源部が放射する第一光束の色相は、第二光源部が放射する第二光束の色相と異なることを特徴とする。この発明によれば、指針の先端部で指示されている特定の目盛部は、第二光束よりも光束の密度が高い第一光束に近似した色相で発光する。故に、特定の目盛部の発光色相は、動く指針の先端部の指示によって第二光束の色相から第一光束の色相に変化する。対して、他の目盛部は、第二光源部から入射した第二光束を表示方向前側に向けて出射するのみである。故に、他の目盛部の発光色相は、第二光束の色相となる。これらによれば、特定の目盛部は、指針と近似した色相で発光するので、当該指針とさらに一体的に視認されやすくなり、誘目性がさらにいっそう高められる。また、特定の目盛部の発光色相が指針の指示によって変化するので、他の目盛部に対する識別も容易となる。したがって、指針の先端で特定の目盛部を指示することによって表示された指標を瞬時に視認させることが可能となるのである。
【００１６】
請求項１０に記載の発明では、第一光源部が放射する第一光束の彩度は、第二光源部が放射する第二光束の彩度よりも高いことを特徴とする。この発明によれば、指針の先端部で指示されている特定の目盛部は、第二光束よりも光束の密度が高い第一光束に近似した彩度で発光する。故に、特定の目盛部が発光する彩度は、動く指針の先端部の指示によって第二光束の彩度から第一光束の彩度に変化する。対して、他の目盛部は、第二光源部から入射した第二光束を表示方向前側に向けて出射するのみである。故に、他の目盛部の発光色相は、第二光束の色相となる。これらによれば、特定の目盛部は、指針と近似した彩度で発光するので、当該指針とさらに一体的に視認されやすくなる。また、特定の目盛部の誘目性は、高い発光色の彩度によっても高められる。また、特定の目盛部の発光する彩度が指針の指示によって変化するので、他の目盛部に対する識別も容易となる。したがって、指針の先端で特定の目盛部を指示することによって表示された指標を瞬時に視認させることが可能となるのである。
【発明を実施するための最良の形態】
【００１７】
以下、本発明の一実施形態を図面に基づいて説明する。
【００１８】
以下、本発明による指針計器を、コンビネーションメータ１００に適用した場合を例に説明する。図１は、本発明の一実施形態によるコンビネーションメータ１００を構成している速度計２０ａの正面図である。コンビネーションメータ１００は、車両の車室内に設けられたインスツルメントパネル内に収容され、図１に示す正面側を運転席側に向けて配置されている。
【００１９】
（基本構成）
コンビネーションメータ１００は、図１に示すような車両の情報に関する指標２０を表示する速度計２０ａ、ならびにタコメータ、水温計、油温計、燃料計、および電圧計等の計器（図示しない）によって構成されている。速度計２０ａによって表示される指標２０は、視認上で文字板５０に配置された複数の目盛部６４および副目盛部６５を、文字板５０に沿って回転する指針４０の先端部４１ａで指し示すことにより表示される。加えて指標２０の表示は、数字部５３ａ、文字部５３ｂ、および装飾部５８ａ等によって構成されている。文字板５０の外観は、表示方向と直交する平面方向に設けられた円形の意匠であって、速度計２０ａの背景となる暗色の意匠を表示している。文字板５０の中心から、指針４０の先端部４１ａが、径方向外周側へ伸張している。尚、指針４０の基端となる文字板５０の中心から、指針４０の先端部４１ａとなる文字板５０の外縁部に向う方向を、「伸張方向」とする。目盛部６４および副目盛部６５は、指針４０の基端を中心に放射状且つ等間隔に、文字板５０上に配置されている。目盛部６４および副目盛部６５は、伸張方向を長手方向とする矩形形状の意匠を表示している。目盛部６４は、副目盛部６５よりも大きく形成されており、目盛部６４と副目盛部６５とは交互に配置されている。数字部５３ａは、数字を模った意匠を表示しており、文字板５０上において目盛部６４の伸張方向基端側に配置されている。文字部５３ｂは、速度の単位を表す文字を模った意匠を表示し、文字板５０上において、指針４０の基端の下方に配置されている。装飾部５８ａは、文字板５０の外縁に設けられ、表示上において速度計２０ａとコンビネーションメータ１００における他の計器との境界を示している。以上のなかで、指針４０、目盛部６４、副目盛部６５、数字部５３ａ、および文字部５３ｂは発光して表示される。
【００２０】
図２は、コンビネーションメータ１００の機械的構成を示している。コンビネーションメータ１００は、筐体８０、および回路基板７０を、上記した、文字板５０および指針４０に加えて備えている。
【００２１】
筐体８０は、リヤケース８３、リヤカバー８４、フロントケース８２、およびフロントパネル８１等の複数の部材を互いに組み付けることによりによって構成されている。リヤケース８３は、ポリプロピレン等の樹脂材料により形成されている。リヤケース８３は、表示方向に沿った筒部８３ａを形成しており、当該筒部８３ａの内周面と表示方向前面とで文字板５０を支持している。加えてリヤケース８３は、表示方向後側で回路基板７０を保持している。リヤケース８３の表示方向後側には、ポリプロピレン等の樹脂材料により形成される有底容器であるリヤカバー８４が組み付けられている。リヤカバー８４は、リヤケース８３に保持されている回路基板７０を収容するとともに、回路基板７０への表示方向後側からの塵および埃等の付着を防止している。
【００２２】
また、フロントケース８２は、ポリプロピレン等の樹脂材料により筒状に形成されている。フロントケース８２の内面側には、光の反射を抑制する黒色の塗装と、光を乱反射させるシボとにより、防眩のための防眩部８２ａが形成されている。加えて、フロントケース８２には、文字板５０および導光体６０を配置するための円形の開口部８２ｂが形成されている。フロントケース８２の表示方向後側にはリヤケース８３に組み付けられ、表示方向前側にはフフロントパネル８１が組み付けられている。フロントパネル８１は、無色透明のアクリル樹脂等の透光性材料により形成され、表面には外来光等の反射を防止する反射防止膜が形成されている。
【００２３】
回路基板７０は、紙フェノール系またはガラスエポキシ系の硬質の基板からなる。回路基板７０には、両面に所定の銅箔材料からなる配線パターン（図示しない）が形成されているとともに、表示方向に貫通する貫通孔７０ａが穿設されている。回路基板７０の表示方向後側には、ステッパーモータ７１、発光ダイオード７２およびメータ制御部７５等が実装されている。ステッパーモータ７１は、回路基板７０の貫通孔７０ａを通して、文字板５０の表示方向前面側に延出する指針軸７１ａを有している。また、回路基板７０の表示方向前側には、複数の発光ダイオード７２が実装されている。発光ダイオード７２は、チップタイプの発光ダイオードであって、表示方向前側に向けて光束を放射する。尚、発光ダイオード７２は、請求項に記載の「光源部」に相当する。
【００２４】
文字板５０は、導光体６０および意匠板５０ａ等を組み合わせて構成されている。導光体６０は、透光性を備える例えばアクリル樹脂等によって形成されている。導光体６０は、表示方向に沿って形成された円筒状の第一導光部６２と、第一導光部６２の表示方向前側の端部から径方向外側に向って形成された円板状の第二導光部６０ａと、を具備している。導光体６０の第一導光部６２はリヤケース８３の筒部８３ａに内嵌され、導光体６０の第二導光部６０ａはリヤケース８３の表示方向前面と当接している。第一導光部６２は、光束を入射する入射面６２ａ、および光束を径方向外側に向けて反射する反射面６２ｂを形成している。入射面６２ａは、第一導光部６２の表示方向後側に位置する端面であり、発光ダイオード７２に相対して形成されている。反射面６２ｂは、第一導光部６２の表示方向前側に位置する端面であり、表示方向前側に向うにつれて径方向外側に傾斜している。
【００２５】
加えて、導光体６０の第二導光部６０ａは、目盛部６４，副目盛部６５、溝部６０ｂ、およびシボ部６０ｃを形成している。目盛部６４および副目盛部６５は、第二導光部の表示方向前面の外縁付近に放射状且つ等間隔で設けられた、表示方向前側に突出する凸部である。目盛部６４は副目盛部６５よりも大きく、目盛部６４と副目盛部６５とは交互に並べて設けられている（図１参照）。目盛部６４および副目盛部６５は、光束を表示方向前側に向けて放射することによって発光する。溝部６０ｂは、第二導光部６０ａの表示方向後面に、目盛部６４および副目盛部６５と相対して設けられている。溝部６０ｂの外表面にシボが形成されることによって、溝部６０ｂは、表示方向前側に向けて効率的に光束を反射する。シボ部６０ｃは、後述する文字板５０の数字部５３ａおよび文字部５３ｂと表示方向に重なるよう設けられている。シボ部６０ｃは、表示方向前側に向けて光束を拡散しつつ反射する。
【００２６】
意匠板５０ａは、無色透明のポリカーボネート等の透光性材料よりなるシート材の表面に、遮光性の印刷を施すことにより形成され、導光体６０の表示方向前面に配置されている。意匠板５０ａは、数字部５３ａ、文字部５３ｂ（図１参照）、目盛開口部５１ａ，５１ｂ、および指針開口部５２を有している。数字部５３ａおよび文字部５３ｂは、導光体６０に設けられたシボ部６０ｃの表示方向前側に位置している。数字部５３ａおよび文字部５３ｂは、遮光性の印刷を当該部５３ａ，５３ｂを避けて施すことにより形成された透光部であって、シボ部６０ｃによって反射された光束を表示方向に透過することによって発光する。目盛開口部５１ａ，５１ｂは、伸張方向を長手方向とする矩形形状の開口部であって、導光体６０から突出している目盛部６４および副目盛部６５とそれぞれ嵌合している。指針開口部５２は、意匠板５０ａの中央付近に、導光体６０の第一導光部６２と同軸に設けられた開口部である。この指針開口部５２を通して、ステッパーモータ７１の指針軸７１ａの先端部が、意匠板５０ａの表示方向前側に延出している。
【００２７】
加えて、文字板５０には、遮光部材５７および装飾リング５８が付属している。遮光部材５７は、遮光性を備える樹脂材料等によって筒状に形成されている。遮光部材５７は、導光体６０の第一導光部６２の内周面に内嵌されている。加えて、遮光部材５７の表示方向後端部は回路基板７０と当接し、遮光部材５７の表示方向前端部は文字板５０と接合されている。装飾リング５８は、例えば樹脂材料からなるリング形状の部材であって、表面にメッキ等の装飾部５８ａが形成されている。装飾リング５８の文字板５０外縁への設置によって、当該文字板５０とフロントケース８２の開口部８２ｂとの間に生じる隙間が視認上隠されることとなる。
【００２８】
指針４０は、ポインタ部材４１およびキャップ部材４５を有している。ポインタ部材４１は、例えばアクリル樹脂等の透光性材料によって形成され、固定部４４、指針入射部４３、および反射面４１ｂを具備している。固定部４４が指針軸７１ａの先端部に外嵌されることによって、指針４０はステッパーモータ７１に取り付けられている。これにより指針４０は、指針軸７１ａと一体で文字板５０の表示方向前面に沿って回転する。指針入射部４３は、指針４０が取り付けられた状態で発光ダイオード７２と相対している。この配置によって指針入者部４３は、発光ダイオード７２から放射された光束をポインタ部材４１に入射させる。反射面４１ｂは、ポインタ部材４１の基端部に設けられる斜面であって、指針入者部４３によって当該ポインタ部材４１に入射した光束を先端部４１ａ側に向けて反射する。ポインタ部材４１は、反射面４１ｂによって反射された光束を表示方向前側に放射することによって発光する。キャップ部材４５は、例えば黒色のＡＢＳ樹脂等の遮光性を備える材料により形成され、表示方向後側に開口する有底筒状の部材である。キャップ部材４５がポインタ部材４１の基端部の表示方向前側に取り付けられることによって、固定部４４および反射面４１ｂに加えて、意匠板５０ａの指針開口部５２等が視認上隠されている。
【００２９】
以上の構成によれば、図１に示すような指標２０が表示される。詳記すると、指標２０は、意匠板５０ａに施された遮光性の印刷による外観によって、背景の意匠が表示される。加えて、指標２０は、装飾リング５８に施された装飾部５８ａの外観によって、速度計２０ａの境界が表示される。また、指標２０は、発光ダイオード７２から入射した光束を表示方向前側に放射することによって、指針４０、目盛部６４、副目盛部６５、数字部５３ａ、および文字部５３ｂを発光により表示する
図３は、コンビネーションメータ１００の電気的構成を示している。コンビネーションメータ１００は、メータ制御部７５、ステッパーモータ７１、発光ダイオード７２等により構成されている。また、コンビネーションメータ１００には、外部のバッテリ９５、イグニッション・リレー９４、車載されているＣｏｎｔｒｏｌｌｅｒ  Ａｒｅａ  Ｎｅｔｗｏｒｋ（ＣＡＮ）９１、および接地されたアース配線９８が接続されている。
【００３０】
メータ制御部７５は、プログラムによって作動するマイクロコンピュータからなる。メータ制御部７５は、バッテリ９５と常に導通している給電系統と、イグニッション・リレー９４を介した給電系統を有し、当該バッテリ９５から電力を供給されている。加えて、メータ制御部７５は、車載されているＣＡＮ９１に接続されており、当該ＣＡＮ９１に出力された車両の速度に関する情報と、イグニッション・スイッチ９３のＯＮ／ＯＦＦ状態に関する情報とを取得する。また、メータ制御部７５は、発光ダイオード７２と接続されており、取得したイグニッションのＯＮ／ＯＦＦ状態に関する情報に基づいて当該発光ダイオード７２に電圧を印加する。さらに、メータ制御部７５は、ステッパーモータ７１と接続されており、取得した車両の速度に関する情報に基づいて、指針軸７１ａが回転すべき回転方向、回転角度、回転速度を算出し、算出結果に対応したパルス電力をステッパーモータ７１に出力する。
【００３１】
発光ダイオード７２は、電気エネルギーを光エネルギーに変換する半導体素子である。発光ダイオード７２は、メータ制御部７５から電圧が印加されることによって光束を放射する。また、ステッパーモータ７１は、入力されたパルス電力に同期して回転する回転子を具備している。ステッパーモータ７１の指針軸７１ａは、回転子と一体であって、メータ制御部７５から入力されたパルス電力に応じて、回転すべき方向へ所望の角度まで回転する。
【００３２】
ここで、ＣＡＮ９１上には、電力供給制御回路９２が設けられている。電力供給制御回路９２は、バッテリ９５、イグニッション・スイッチ９３、イグニッション・リレー９４、およびエンジン制御回路（図示しない）等と接続されている。電力供給制御回路９２は、バッテリ９５から電力を供給されており、運転者によるイグニッション・スイッチ９３の押圧操作を検知して、イグニッション・リレー９４に電圧を印加して、当該リレー９４を通電状態にする。また、電力供給制御回路９２は、検知した運転者によるイグニッション・スイッチ９３の押圧操作に基づいて、車両のイグニッションのＯＮ／ＯＦＦ状態に関する情報をＣＡＮ９１上に出力する。
【００３３】
以上の構成によれば、運転者によるイグニッション・スイッチ９３の操作が行われると、電力供給制御回路９２が、車両のイグニッションの状態をＯＮにする。このとき電力供給制御回路９２は、イグニッション・リレー９４に電圧を印加して、バッテリ９５とメータ制御部７５とを導通させる。同時に、車両のイグニッションの状態がＯＮであるという情報をＣＡＮ９１上に出力する。メータ制御部７５は、車両のイグニッションの状態がＯＮであるという情報を取得した後、ＣＡＮ９１を通じて車両の速度に関する情報の取得を開始する。メータ制御部７５は、これらＣＡＮ９１から取得した情報に基づいて、発光ダイオード７２に電圧を印加するとともに、ステッパーモータ７１のパルス電力を出力する。このメータ制御部７５の作動によって、発光ダイオード７２は光束を放射するとともに、ステッパーモータ７１は指針軸７１ａを車速に応じた角度に回転させる。
【００３４】
以上説明したコンビネーションメータ１００の作動によれば、図１に示す、指針４０、目盛部６４、副目盛部６５、数字部５３ａ、および文字部５３ｂが発光する。また、指針軸７１ａが車速に応じた角度に回転することによって、指針４０の先端部４１ａが複数の目盛部６４のいずれかを指し示し得る。これにより、車速に応じた目盛部６４又は副目盛部６５を、指針４０の先端部４１ａが指し示すことによりなる指標２０が、コンビネーションメータ１００の速度計２０ａによって表示される。
【００３５】
また、図３に示すイグニッション・スイッチ９３の操作が運転者によって再び行われると、電力供給制御回路９２が、車両のイグニッションの状態をＯＦＦにする。このとき電力供給制御回路９２は、イグニッション・リレー９４への電圧の印加を中止して、バッテリ９５とメータ制御部７５との導通を停止させる。同時に、車両のイグニッションの状態がＯＦＦであるという情報をＣＡＮ９１上に出力する。メータ制御部７５は、車両のイグニッションの状態がＯＦＦであるという情報を取得した後、発光ダイオード７２への電圧の印加を中止するとともに、ステッパーモータ７１へ指針軸７１ａが帰零するようなパルス電力を出力する。このメータ制御部７５の作動によって、発光ダイオード７２は光束の放射を停止するとともに、ステッパーモータ７１は指針軸７１ａが帰零する。
【００３６】
以上説明したコンビネーションメータ１００の作動によれば、図１に示す、指針４０、目盛部６４、副目盛部６５、数字部５３ａ、および文字部５３ｂが消灯する。加えて、指針４０は帰零する。したがって、コンビネーションメータ１００の速度計２０ａは、車速の指標２０の表示を停止する。
【００３７】
（特徴部分）
以下、本発明の一実施形態によるコンビネーションメータ１００の特徴部分について説明する。
【００３８】
図２に示すように、コンビネーションメータ１００の発光ダイオード７２は、文字板発光用ＬＥＤ７２ａおよび指針発光用ＬＥＤ７２ｂを具備している。指針発光用ＬＥＤ７２ｂは、ポインタ部材４１の指針入射部４３と相対する回路基板７０の表示方向前面に実装され、当該指針入射部４３に向けて第一光束ＬＦ１を放射する。本実施形態では、指針発光用ＬＥＤ７２ｂは、例えば高い彩度を備えた赤色の第一光束ＬＦ１を放射する。文字板発光用ＬＥＤ７２ａは、指針発光用ＬＥＤ７２ｂの伸張方向先端側の、導光体６０の入射面６２ａと相対する回路基板７０の表示方向前面に実装され、当該入射面６２ａに向けて第二光束ＬＦ２を放射する。本実施形態では、指針発光用ＬＥＤ７２ｂは、第一光束ＬＦ１と比較して彩度が低い、例えば白い色相を備えた第二光束ＬＦ２を放射する。故に、指針発光用ＬＥＤ７２ｂが放射する第一光束ＬＦ１の色相および彩度は、文字板発光用ＬＥＤ７２ａが放射する第二光束ＬＦ２の色相および彩度と異なることとなる。尚、指針発光用ＬＥＤ７２ｂは、請求項に記載の「第一光源部」に、文字板発光用ＬＥＤ７２ａは、請求項に記載の「第一光源部」に、それぞれ相当する。また、指針発光用ＬＥＤ７２ｂと、文字板発光用ＬＥＤ７２ａとの間には、遮光部材５７が配置されているので、第一光束ＬＦ１と第二光束ＬＦ２とは混合しない。
【００３９】
指針４０の先端部４１ａは、目盛部６４の表示方向前方を通過するよう伸張している。指針４０は、指針入射部４３によって入射された第一光束ＬＦ１を、さらに伸張方向先端側に向けて出射する指針出射部４６を有している。指針出射部４６は、ポインタ部材４１の先端部４１ａに設けられている。ポインタ部材４１の先端部４１ａには、第一光束ＬＦ１が伸張方向に沿って放射されるよう、伸張方向に直交する平面が形成されている。
【００４０】
目盛部６４は、導光体６０の第二導光部６０ａからの表示方向前側に突出しており、嵌合された文字板５０の目盛開口部５１ａを貫通して、当該文字板５０よりも表示方向前側に延出している。各目盛部６４の間が、文字板５０の意匠板５０ａによって表示方向前側から遮蔽されることにより（図１参照）、視認上において各目盛部６４は文字板５０上で相互に離間して配置された外観となる。加えて、突出している目盛部６４の頂面には、表示方向前方に凹の発光面６４ａが形成されている。この発光面６４ａは、指針４０の先端部４１ａよりも表示方向後側且つ伸張方向基端側に位置している。また、ａの伸張方向先端側は、指針４０の先端部４１ａよりも表示方向前側且つ伸張方向先端側に位置している。目盛部６４の発光面６４ａは、入射面６２ａから入射した第二光束ＬＦ２を表示方向前側に向けて放射するとともに、指針出射部４６から出射された第一光束ＬＦ１を表示方向前側に向けて反射する。
【００４１】
尚、本実施形態では、表示方向と伸張方向とが直交する構成であることから、指針４０の伸張方向に位置する発光面６４ａは、文字板５０の平面方向に対して４５度で形成されることが望ましい。これにより発光面６４ａは、指針出射部４６によって伸張方向に出射された第一光束ＬＦ１を、表示方向に向け効率良く反射することができる。
【００４２】
以上の構成によれば、文字板５０に配置された複数の目盛部６４のうち、文字板５０に沿って動く指針４０の先端部４１ａで指し示されていない目盛部６４は、第二光束ＬＦ２を表示方向前側に向けて放射することによって、第二光束ＬＦ２の発光色相である白色に発光している。具体的には、文字板発光用ＬＥＤ７２ａによって放射された第二光束ＬＦ２は、入射面６２ａから導光体６０に入射する。第二光束ＬＦ２は、第一導光部６２によって表示方向に沿って導光された後、反射面６２ｂによって伸張方向外側に向けて反射される。そして、第二光束ＬＦ２は、第二導光部６０ａによって伸張方向に沿って導光された後、溝部６０ｂによって表示方向前側に反射される。これにより、第二光束ＬＦ２は、目盛部６４の発光面６４ａを透過して、表示方向前側に向けて放射される。
【００４３】
対して、文字板５０に配置された複数の目盛部６４のうち、文字板５０に沿って動く指針４０の先端部４１ａで指し示された特定の目盛部６４ｓは、第二光束ＬＦ２を放射するとともに、第一光束ＬＦ１を表示方向前側に反射することによって発光している。具体的には、指針発光用ＬＥＤ７２ｂによって表示方向前側に放射された第一光束ＬＦ１は、指針４０の指針入射部４３からポインタ部材４１に入射する。第一光束ＬＦ１は、ポインタ部材４１の反射面４１ｂによって伸張方向先端側に向けて反射される。そして、第一光束ＬＦ１は、ポインタ部材４１によって伸張方向に沿って導光された後、指針出射部４６によって伸張方向先端側に向けて出射される。指針４０によって出射された第一光束ＬＦ１は、指針４０が指示している特定の目盛部６４ｓに到達する。第一光束ＬＦ１は、特定の目盛部６４の発光面６４ａによって表示方向前側に向けて反射される。ここで、複数の目盛部６４に分散される第二光束ＬＦ２と比較して、指針４０のみに入射される第一光束ＬＦ１は、光束の密度が高い。加えて、第二光束ＬＦ２と第一光束ＬＦ１とが加色混合されると、無彩色である第二光束ＬＦ２と比較して高い彩度を唱えた第一光束ＬＦ１の色相が表示される。したがって、特定の目盛部６４ｓは、第一光束ＬＦ１に近似した色相であって、他の目盛部６４と比較して高輝度、高彩度での発光に変化する。
【００４４】
以上説明した本実施形態では、指針４０の先端部４０ａが特定の目盛部６４ｓを指し示しているとき、指針４０の先端部４１ａが目盛部６４の表示方向前方を通過するよう伸張しているので、指針４０の先端部４１ａと特定の目盛部６４ｓとが近接している。そのため、指針出射部４６から出射される第一光束ＬＦ１は特定の目盛部６４ｓに確実に到達する。故に、特定の目盛部６４ｓの発光状態は、指針発光用ＬＥＤ７２ｂから入射する第一光束ＬＦ１を表示方向前側に向けて放射する指針４０の発光状態に近似する。さらに、指針４０の先端部４１ａの目盛部６４前方への伸張によれば、指針４０の先端部４１ａと特定の目盛部６４ｓとは表示方向に重なって視認される。以上によれば、特定の目盛部６４ｓは、指針４０の先端部４１ａと重なって表示されるとともに、発光状態が近似するので、当該指針４０と一体的に視認されることとなり、誘目性が高められる。この特定の目盛部６４ｓの高い誘目性によれば、指針４０の先端部４１ａで特定の目盛部６４ｓを指示することによって表示された車両の速度の指標２０を瞬時に視認させることが可能となる。したがって、視認性の優れるコンビネーションメータ１００を提供することができるのである。
【００４５】
加えて本実施形態では、指針４０の先端部４１ａに対して、発光面６４ａが表示方向後側且つ伸張方向基端側から表示方向前側前側且つ伸張方向先端側に亘り形成されるので、当該発光面６４ａには指針出射部４６から伸張方向に出射された第一光束ＬＦ１が到達し得る。加えて、発光面６４ａが表示方向前側を向くこととなるので、当該発光面６４ａに到達した第一光束ＬＦ１は表示方向前側に向けて確実に反射される。この発光面６４ａの作用発揮によれば、指針４０の先端部４１ａで指し示された特定の目盛部６４ｓの誘目性が確実に高められるので、視認性の優れるコンビネーションメータ１００を提供することができるのである。
【００４６】
また本実施形態では、第一光束ＬＦ１を反射する目盛部６４の発光面６４ａが、表示方向前側に凹であることから、指針４０の伸張方向および表示方向において、目盛部６４と指針４０とをさらに近接させることができる。さらに、指針出射部４６が指針４０の先端部４１ａに設けられることにより、指針出射部４６と目盛部６４とを確実に近接させることができる。これらによれば、指針出射部４６から出射された第一光束ＬＦ１を発光面６４ａにさらに確実に到達させられるので、特定の目盛部６４ｓの発光状態は、指針４０の発光状態にさらに近似する。さらに、指針４０の先端部４１ａと特定の目盛部６４ｓとの表示方向に重なりも容易に視認される。故に、指針４０の先端部４１ａで指示されている特定の目盛部６４ｓは、当該指針４０とさらに一体的に視認され易くなるので、高い誘目性を獲得する。したがって、視認性の優れるコンビネーションメータ１００を提供することができるのである。
【００４７】
さらに本実施形態では、複数の目盛部６４が、相互に離間した状態で文字板４０に配置されているので、指針出射部４６から出射された第一光束ＬＦ１が拡散しても、拡散した第一光束ＬＦ１は、指針４０の先端部４１ａで指示された特定の目盛部６４ｓのみに到達し、隣接する他の目盛部６４には到達しない。故に、指針４０の先端部４１ａで指示されている特定の目盛部６４ｓのみが指針４０の発光状態に近似する。これにより、特定の目盛部６４ｓは、高い誘目性を獲得するとともに、他の目盛部６４に対する識別も容易となる。これにより、指針４０の先端部４１ａで特定の目盛部６４ｓを指し示すことによって表示された指標２０を瞬時に視認させることが可能となる。したがって、視認性の優れるコンビネーションメータ１００を提供することができるのである。
【００４８】
また加えて本実施形態では、目盛部６４が文字板５０から表示方向前側に突出しているので、指針出射部４６から出射された第一光束ＬＦ１が拡散しても、第一光束ＬＦ１は指針４０の先端部４１ａで指示された特定の目盛部６４ｓのみに到達し、文字板５０へは到達しない。故に、特定の目盛部６４ｓは、文字板５０との境界が明瞭な状態で発光することができる。さらに目盛部６４は、導光体６０に設けられるので、遮光性の意匠板５０ａとのコントラストが明確になる。特に、第一光束ＬＦ１を反射することによって、他の目盛部６４よりも光束の密度が高くなる特定の目盛部においては、意匠板５０ａとのコントラストがさらに明確となる。これらにより、特定の目盛部６４ｓの誘目性をさらに高めることができるので、表示された指標２０を瞬時に視認させることが可能となる。したがって、視認性の優れるコンビネーションメータ１００を提供することができるのである。
【００４９】
さらに加えて本実施形態では、特定の目盛部６４ｓは、他の目盛部６４と比較して高輝度で発光している。故に、他の目盛部との明確な輝度差によって、特定の目盛部６４ｓは、誘目性が高まるとともに、他の目盛部に対する識別も容易となる。加えて、特定の目盛部６４ｓは、指針４０と近似した色相で発光するので、当該指針４０とさらに一体的に視認されやすくなり、誘目性がさらにいっそう高められる。また、特定の目盛部６４ｓは、指針４０と近似した彩度で発光するので、当該指針４０とさらに一体的に視認されやすくなる。さらに、特定の目盛部６４ｓの誘目性は、高い発光色の彩度によっても高められる。また加えて、特定の目盛部６４ｓの発光する色相および彩度が指針４０の指示によって変化するので、他の目盛部６４に対する識別も容易となる。これらのように、放射する光束の色相および彩度の異なる指針発光用ＬＥＤ７２ｂおよび文字板発光用ＬＥＤ７２ａを有することによる作用発揮によれば、指針４０の先端部４１ａで特定の目盛部６４ｓを指し示すことによって表示された指標２０を瞬時に視認させることが可能となる。したがって、視認性の優れる指針計器を提供することができるのである。
【００５０】
（他の実施形態）
以上、本発明の一実施形態について説明したが、本発明は上記実施形態に限定して解釈されるものではなく、その要旨を逸脱しない範囲内において種々の実施形態に適用することができる。
【００５１】
上記実施形態において目盛部６４は、第二光束ＬＦ２を放射するとともに第一光束ＬＦ１を反射する、表示方向前側に凹の発光面６４ａを形成していた。しかし、発光面６４ａと先端部４１ａとが近接させられるのであれば、発光面６４ａは表示方向前側に凹でなくてもよい。例えば第二光束ＬＦ２を放射するとともに第一光束ＬＦ１を反射する平面状や表示方向前側に凸の発光面であってもよい。さらには、目盛部６４が、伸張方向先端側が表示方向前側に屈折する屈折面を形成していてもよい。ただし、屈折面が発光する際には、屈折している部分が影として視認されてしまうので、見栄えを損ねるおそれがある。故に、目盛部６４によって形成される第二光束ＬＦ２を放射するとともに第一光束ＬＦ１を反射する面は、曲面であることが望ましい。
【００５２】
上記実施形態において目盛部６４は、相互に離間した状態で文字板５０上に配置されていた。しかし、目盛部６４は、相互に接続されていてもよく、また副目盛部６５と接続されていてもよい。加えて、指針４０の先端部４１ａを表示方向後側へ屈折させる、又は、目盛部６４が配置された文字板５０の外縁を表示方向前側に屈折させる等により、目盛部６４を文字板５０から表示方向へ突出しない構成としてもよい。
【００５３】
上記実施形態において指針出射部４６は、指針４０の先端部４１ａに設けられていたが、指針出射部４６が設けられる位置は、先端部４１ａに限定するものではない。また、指針出射部４６となる指針４０の先端部４１ａは、伸張方向に直交する平面であった。しかし、指針４０の先端部４１ａを曲面状に形成し、当該指針出射部４６を出射した第一光束ＬＦ１が目盛部６４に確実に届くようにしてもよい。
【００５４】
上記実施形態において、第二光束ＬＦ２を表示方向前側に放射することによって発光する副目盛部６５に、目盛部６４と同様に、指針出射部４６から出射された第一光束ＬＦ１を反射する反射面を形成してもよい。また、副目盛部６５は形成しなくてもよい。
【００５５】
上記実施形態においては、請求項に記載の「光源部」として、赤色の第一光束ＬＦ１を放射する指針発光用ＬＥＤ７２ｂと、白色の第二光束ＬＦ２を放射する文字板発光用ＬＥＤ７２ａとが設けられていた。しかし、指針発光用ＬＥＤ７２ｂおよび文字板発光用ＬＥＤ７２ａが放射する各光束ＬＦ１，ＬＦ２の色相および彩度を限定するものではない。さらには、光源部として、電球、放電灯、ＥＬパネル等を適宜備えていてもよい。例として、同一の光源部が、導光体６０およびポインタ部材４１に同一の色相・彩度を備えた光束を入射してもよい。また、第一光束ＬＦ１および第二光束ＬＦ２が同一の色相を備える光束であってもよい。これらの場合、指針４０の先端部４１ａで指し示された特定の目盛部６４ｓと他の目盛部６４との輝度差によって、これらは識別されることとなる。さらに別の例として、白色の第一光束ＬＦ１を放射する指針発光用ＬＥＤ７２ｂと、青色の第二光束ＬＦ２を放射する文字板発光用ＬＥＤ７２ａを具備していてもよい。この場合、特定の目盛部６４ｓは、他の目盛部よりも彩度の低い青色で高輝度に発光するので、他の目盛部に対する識別は容易となる。
【００５６】
上記実施形態では、本発明を車両の速度に関する指標２０を表示する速度計２０ａを備えたコンビネーションメータ１００を例に説明した。しかし、速度計２０ａ以外の各種の車載された「指針計器」に本発明を適用することが可能である。さらには、車両以外の輸送機械に搭載された各種の「指針計器」に本発明を適用することが可能である。
【図面の簡単な説明】
【００５７】
【図１】本発明の一実施形態によるコンビネーションメータの指標を示す正面図である。
【図２】本発明の一実施形態によるコンビネーションメータの機械的構成を示す模式図であって、図１のＩＩ−ＩＩ線断面図である。
【図３】本発明の一実施形態によるコンビネーションメータの電気的構成を示すブロック図である。
【符号の説明】
【００５８】
２０  指標、２０ａ  速度計、４０  指針、４１  ポインタ部材、４１ａ  先端部、４１ｂ  反射面、４３  指針入射部    、４４  固定部、４５  キャップ部材、４６  指針出射部、５０  文字板、５０ａ  意匠板、５１ａ  目盛開口部、５１ｂ  目盛開口部、５２  指針開口部、５３ａ  数字部、５３ｂ  文字部、５７  遮光部材、５８  装飾リング、５８ａ  装飾部、６０  導光体、６０ａ  第二導光部、６０ｂ  溝部、６０ｃ  シボ部、６２  第一導光部、６２ａ  入射面、６２ｂ  反射面、６４  目盛部、６４ａ  発光面、６５  副目盛部、７０  回路基板、７０ａ  貫通孔、７１  ステッパーモータ、７１ａ  指針軸、７２  発光ダイオード、７２ａ  文字板発光用ＬＥＤ（第二光源部）、７２ｂ  指針発光用ＬＥＤ（第一光源部）、７５  メータ制御部、８０  筐体、８１  フロントパネル、８２  フロントケース、８２ａ  防眩部、８２ｂ  開口部、８３  リヤケース、８４  リヤカバー、９１  ＣＡＮ     、９２  電力供給制御回路、９３  イグニッション・スイッチ、９４  イグニッション・リレー、９５  バッテリ、９８  アース、１００  コンビネーションメータ（指針計器）、ＬＦ１  第一光束、ＬＦ２  第二光束
【図１】
2010078441.tif 000003
【図２】
2010078441.tif 000004
【図３】
2010078441.tif 000005